(57)【特許請求の範囲】
【請求項１】
ダイポール型のアンテナを有するＩＣタグが表面に付された光記録媒体を収納するための光記録媒体用ケースであって、
前記光記録媒体は、円形の形状を有する光ディスクであり、
前記光記録媒体用ケースは、
前記光記録媒体を収納するための略直方体の形状を有するケース本体と、
前記ケース本体に収納された前記光記録媒体の前記表面と略平行になるように、前記ケース本体の１つの面に設けられたダイポール形状を有するブーストアンテナと、を備え、
前記ブーストアンテナは、
前記ケース本体に収納された前記光記録媒体の中心を通る直線上で直交する、２つのバーアンテナと、
前記ケース本体の一辺に対して略平行に伸びた補助バーアンテナと、を含み、
直交する前記２つのバーアンテナの一方は、前記ケース本体の角に向かって延在している
ことを特徴とする光記録媒体用ケース。
【請求項２】
前記２つのバーアンテナは、帯状の導体から成ることを特徴とする請求項１に記載の光記録媒体用ケース。
【請求項３】
前記バーアンテナの長さは、送受信する電磁波の波長の略正の整数倍または略正の整数分の１である
ことを特徴とする請求項１または２に記載の光記録媒体用ケース。
【請求項４】
前記ブーストアンテナは、
前記光記録媒体用ケースに収納される光記録媒体の表面と略平行になるように、前記ケース本体上に伸びて配置されている
ことを特徴とする請求項１に記載の光記録媒体用ケース。
【請求項５】
前記２つのバーアンテナの交点は、前記光記録媒体用ケースに収納される光記録媒体の略中心に設けられた前記ＩＣタグのダイポール型のアンテナの中心を通る、前記光記録媒体の表面の垂線上に位置する
ことを特徴とする請求項１ないし４のいずれか一項に記載の光記録媒体用ケース。
【請求項６】
前記ブーストアンテナは、前記ケース本体の内面に設けられていることを特徴とする請求項１ないし５のいずれか一項に記載の光記録媒体用ケース。
【請求項７】
前記ブーストアンテナは、前記ケース本体の外面に設けられていることを特徴とする請求項１ないし５のいずれか一項に記載の光記録媒体用ケース。
【請求項８】
前記ケース本体は、前記光記録媒体を収納した中箱を収納することにより、前記光記録媒体を前記ケース本体内に収納するようになっている
ことを特徴とする請求項１ないし７のいずれか一項に記載の光記録媒体用ケース。
【請求項９】
前記光ディスクは、ＣＤ、ＤＶＤ、または、ＢＤの何れかであることを特徴とする請求項１ないし８のいずれか一項に記載の光記録媒体用ケース。
【請求項１０】
前記ＩＣタグのダイポール型のアンテナの偏波方向は、前記光記録媒体の前記表面と略平行であることを特徴とする請求項１ないし９のいずれか一項に記載の光記録媒体用ケース。
【請求項１１】
前記２つのバーアンテナは、それぞれの重心で直交していることを特徴とする請求項１ないし１０のいずれか一項に記載の光記録媒体用ケース。
【請求項１２】
ダイポール型のアンテナを有するＩＣタグが表面に付された光記録媒体を収納するための光記録媒体用ケースに付されるブーストアンテナであって、
前記光記録媒体は、円形の形状を有する光ディスクであり、
前記ブーストアンテナは、
略直方体の形状を有するケース本体に収納された前記光記録媒体の前記表面と略平行になるように、前記ケース本体の１つの面に設けられ、
ダイポール形状を有し、
前記ケース本体に収納された前記光記録媒体の中心を通る直線上で直交する、２つのバーアンテナと、
前記ケース本体の一辺に対して略平行に伸びた補助バーアンテナと、を備え、
直交する前記２つのバーアンテナの一方は、前記ケース本体の角に向かって延在している
ことを特徴とするブーストアンテナ。
【請求項１３】
光記録媒体を管理するための管理システムであって、
ダイポール型のアンテナを有するＩＣタグが表面に付された光記録媒体を収納するための光記録媒体用ケースと、
前記光記録媒体用ケースが並べられる棚に配置されるシート状アンテナと、
前記ダイポール型のアンテナおよび前記シート状アンテナを介して、前記ＩＣタグと通信するリーダ／ライタと、
前記ＩＣタグと前記リーダ／ライタとの通信により得られた情報に基づいて、前記光記録媒体を管理する管理装置と、を備え、
前記光記録媒体は、円形の形状を有する光ディスクであり、
前記光記録媒体用ケースは、
前記光記録媒体を収納するための略直方体の形状を有するケース本体と、
前記ケース本体に収納された前記光記録媒体の前記表面と略平行になるように、前記ケース本体の１つの面に設けられたダイポール形状を有するブーストアンテナと、を有し、
前記ブーストアンテナは、
前記ケース本体に収納された前記光記録媒体の中心を通る直線上で直交する、２つのバーアンテナと、
前記ケース本体の一辺に対して略平行に伸びた補助バーアンテナと、を含み、
直交する前記２つのバーアンテナの一方は、前記ケース本体の角に向かって延在している
ことを特徴とする管理システム。
【発明の詳細な説明】
【技術分野】
【０００１】
本発明は、例えば、ＣＤ、ＤＶＤ、ＢＤ等の光ディスク（光記録媒体）の光記録媒体用ケース、ブーストアンテナ、および、管理システムに関する。
【背景技術】
【０００２】
従来、管理に必要な情報を記憶しているＩＣタグを光記録媒体に貼り付け、該ＩＣタグとリーダ／ライタとを通信することにより、該光記録媒体を管理するシステムがある。
【０００３】
例えば、光記録媒体を収納する光記録媒体用ケースを配置する棚の背面、または、底面に、リーダ／ライタ用のシート状アンテナ（例えば、特許文献１参照）を配置する場合がある。この場合、光記録媒体に貼り付けられたＵＨＦ帯用のＩＣタグ（例えば、特許文献２参照）は、その偏波方向の指向性の影響により、該リーダ／ライタは十分な読み取り性能を発揮することができない問題がある。
【０００４】
すなわち、上記従来技術では、複数の光記録媒体に付されたＩＣタグを適切に読み取ることができず、光記録媒体に対する所定の管理が実施できない。
【先行技術文献】
【特許文献】
【０００５】
【特許文献１】特開２０１０−１１４６９６号公報
【特許文献２】特開２００６−１４９６８号公報
【発明の概要】
【発明が解決しようとする課題】
【０００６】
本発明は、リーダ／ライタによるシート状アンテナを介した読み取り性能を、向上することが可能な光記録媒体用ケース、ブーストアンテナ、および、管理システムを提供する。
【課題を解決するための手段】
【０００７】
本発明の一態様に係る光記録媒体用ケースは、
ダイポール型のアンテナを有するＩＣタグが表面に付された光記録媒体を収納するための光記録媒体用ケースであって、
前記光記録媒体を収納するためのケース本体と、
前記ケース本体に収納された前記光記録媒体の前記表面と略平行になるように、前記ケース本体に設けられたブーストアンテナと、を備え、
前記ブーストアンテナは、
前記ケース本体に収納された前記光記録媒体の中心を通る直線上で交差する、複数のバーアンテナを含む
ことを特徴とする光記録媒体用ケースである。
【０００８】
また、上記光記録媒体用ケースにおいて、
前記ケース本体は、略直方体の形状を有し、
前記ブーストアンテナは、前記ケース本体の１つの面に設けられていてもよい。
【０００９】
また、上記光記録媒体用ケースにおいて、
前記複数のバーアンテナは、帯状の導体から成ることを特徴とする請求項１または２に記載の光記録媒体用ケース。
【００１０】
また、上記光記録媒体用ケースにおいて、
前記ブーストアンテナは、ダイポール形状を有していてもよい。
【００１１】
また、上記光記録媒体用ケースにおいて、
前記バーアンテナの長さは、送受信する電磁波の波長の略正の整数倍または略正の整数分の１であってもよい。
【００１２】
また、上記光記録媒体用ケースにおいて、
前記ブーストアンテナは、前記ケース本体の一辺に対して略平行に伸びた補助バーアンテナをさらに含んでいてもよい。
【００１３】
また、上記光記録媒体用ケースにおいて、
２つの前記バーアンテナは、前記ケース本体に収納された前記光記録媒体の中心を通る直線上で、直交するように配置されていてもよい。
【００１４】
また、上記光記録媒体用ケースにおいて、
直交する前記２つのバーアンテナの一方は、前記ケース本体の一辺に平行に配置されていてもよい。
【００１５】
また、上記光記録媒体用ケースにおいて、
直交する前記２つのバーアンテナの一方は、前記ケース本体の角に向かって延在していてもよい。
【００１６】
また、上記光記録媒体用ケースにおいて、
前記ブーストアンテナは、
前記光記録媒体用ケースに収納される光記録媒体の表面と略平行になるように、前記ケース本体上に伸びて配置されていてもよい。
【００１７】
また、上記光記録媒体用ケースにおいて、
前記光記録媒体は、円形の形状を有する光ディスクであり、
前記複数のバーアンテナの交点は、前記光記録媒体用ケースに収納される光記録媒体の略中心に設けられた前記ＩＣタグのダイポール型のアンテナの中心を通る、前記光記録媒体の表面の垂線上に位置していてもよい。
【００１８】
また、上記光記録媒体用ケースにおいて、
前記ブーストアンテナは、前記ケース本体の内面に設けられていてもよい。
【００１９】
また、上記光記録媒体用ケースにおいて、
前記ブーストアンテナは、前記ケース本体の外面に設けられていてもよい。
【００２０】
また、上記光記録媒体用ケースにおいて、
前記ケース本体は、前記光記録媒体を収納した中箱を収納することにより、前記光ディスクを前記ケース本体内に収納するようになっていてもよい。
【００２１】
また、上記光記録媒体用ケースにおいて、
前記光ディスクは、ＣＤ、ＤＶＤ、または、ＢＤの何れかであっていてもよい。
【００２２】
また、上記光記録媒体用ケースにおいて、
前記ＩＣタグのダイポール型のアンテナの偏波方向は、前記光記録媒体の前記表面と略平行であっていてもよい。
【００２３】
また、上記光記録媒体用ケースにおいて、
前記複数のバーアンテナは、それぞれの重心で交差していてもよい。
【００２４】
本発明の一態様に係るブーストアンテナは、
ダイポール型のアンテナを有するＩＣタグが表面に付された光記録媒体を収納するための光記録媒体用ケースに付されるブーストアンテナであって、
前記ケース本体に収納された前記光記録媒体の前記表面と略平行になるように、前記ケース本体に設けられ、
前記ケース本体に収納された前記光記録媒体の中心を通る直線上で交差する、複数のバーアンテナを備えることを特徴とするブーストアンテナである。
【００２５】
本発明の一態様に係る管理システムは、
光記録媒体を管理するための管理システムであって、
ダイポール型のアンテナを有するＩＣタグが表面に付された光記録媒体を収納するための光記録媒体用ケースと、
前記光記録媒体用ケースが並べられる棚に配置されるシート状アンテナと、
前記ダイポール型のアンテナおよび前記シート状アンテナを介して、前記ＩＣタグと通信するリーダ／ライタと、
前記ＩＣタグと前記リーダ／ライタとの通信により得られた情報に基づいて、前記光ディスクを管理する管理装置と、を備え、
前記光記録媒体用ケースは、
前記光記録媒体を収納するためのケース本体と、
前記ケース本体に収納された前記光記録媒体の前記表面と略平行になるように、前記ケース本体に設けられたブーストアンテナと、を有し、
前記ブーストアンテナは、
前記ケース本体に収納された前記光記録媒体の中心を通る直線上で交差する、複数のバーアンテナを含むことを特徴とする管理システムである。
【発明の効果】
【００２６】
本発明にかかる光記録媒体用ケース、ブーストアンテナ、および、管理システムによれば、リーダ／ライタによるシート状アンテナを介した読み取り性能を、向上することができる。
【図面の簡単な説明】
【００２７】
【図１】本発明の一態様である実施例１に係るＩＣタグ１００が付された光ディスク（光記録媒体）１の構成の一例を示す図である。
【図２】図１に示す光ディスク１を収納した状態の実施例１に係る光記録媒体用ケースの構成の一例を示す図である。
【図３】図２に示す光記録媒体用ケース３を並べた状態の、シート状アンテナが配置された棚４００の構成の一例を示す図である。
【図４】図３に示すシート状アンテナ２００、リーダ／ライタ３２０、および、管理装置３１０を含む管理システム１０００の一例を示す図である。
【図５】図２に示す光記録媒体用ケース３を並べた状態の、シート状アンテナが配置された棚４００の構成の他の例を示す図である。
【図６】図１に示す光ディスク１を収納した状態の実施例１に係る光記録媒体用ケースの構成の他の例を示す図である。
【図７】図１に示す光ディスク１を収納した状態の実施例１に係る光記録媒体用ケースの構成の他の例を示す図である。
【図８】図１に示す光ディスク１を収納した状態の実施例１に係る光記録媒体用ケースの構成の他の例を示す図である。
【図９】図１に示す光ディスク１を収納した状態の実施例１に係る光記録媒体用ケースの構成の他の例を示す図である。
【図１０】図１に示す光ディスク１を収納した状態の実施例１に係る光記録媒体用ケースの構成の他の例を示す図である。
【図１１】図１に示す光ディスク１を収納した状態の実施例１に係る光記録媒体用ケースの構成の他の例を示す図である。
【図１２】図１に示す光ディスク１を収納した状態の実施例１に係る光記録媒体用ケースの構成の他の例を示す図である。
【図１３】図１に示す光ディスク１を収納した状態の実施例１に係る光記録媒体用ケースの構成の他の例を示す図である。
【図１４】図１に示す光ディスク１を収納した状態の実施例１に係る光記録媒体用ケースの構成の他の例を示す図である。
【図１５】図２に示す光記録媒体用ケース１０３を並べた状態の、シート状アンテナが配置された棚４００の構成の一例を示す図である。
【図１６】図２に示す光記録媒体用ケース１０３を並べた状態の、シート状アンテナが配置された棚４００の構成の他の例を示す図である。
【図１７】図２に示す光記録媒体用ケース１０３を並べた状態の、シート状アンテナが配置された棚４００の構成の他の例を示す図である。
【発明を実施するための形態】
【００２８】
以下、本発明による光記録媒体用ケースの実施の形態について図面に基づいて説明する。
【実施例１】
【００２９】
図１は、本発明の一態様である実施例１に係るＩＣタグ１００が付された光ディスク（光記録媒体）１の構成の一例を示す図である。また、図２は、図１に示す光ディスク１を収納した状態の実施例１に係る光記録媒体用ケースの構成の一例を示す図である。
【００３０】
図１に示すように、光ディスク１は、円形の形状を有し、その中央に光ディスク１のプレーヤ（図示せず）の支持部に係合するための穴１ａが形成されている。この光ディスク１は、例えば、ＣＤ、ＤＶＤ、ＢＤ等の光記録媒体である。
【００３１】
また、この光ディスク１の表面には、この光ディスク１を管理するためのＩＣタグ１００が設けられている。
【００３２】
また、図１に示すように、ＩＣタグ１００は、例えば、インレットを構成する、ＩＣチップ１００ａと、ダイポール型のアンテナ１００ｂと、を備える。
【００３３】
ＩＣチップ１００ａは、情報を記憶するためのメモリ部（図示せず）と、該メモリ部への情報の記憶動作、該メモリ部からの情報の読み出し動作、および、無線通信動作を制御する制御部（図示せず）を有する。
【００３４】
ダイポール型のアンテナ１００ｂは、例えば、ループ状の形状を有するループ部１００ｂ−１と、光ディスク１の表面上に延在する延在部１００ｂ−２とを含む。なお、図１の例では、延在部１００ｂは、矩形波状に光ディスク１の表面上に延在している。
【００３５】
したがって、ＩＣタグ１００のダイポール型のアンテナ１００ｂの偏波方向は、光ディスク１の表面と略平行である。
【００３６】
また、該インレットは、例えば、両面テープ（図示せず）により光ディスク１の表面に貼り付けられている。
【００３７】
また、該インレットは、光ディスク１に対向しない面（上面）に、ラベル表紙（図示せず）が、例えば、アクリル系の粘着剤により、貼り付けられている。
【００３８】
ここで、図２に示すように、光記録媒体用ケース３は、ダイポール型のアンテナ１００ｂを有するＩＣタグ１００が表面に付された光ディスク１を収納するようになっている。
【００３９】
この光記録媒体用ケース３は、例えば、光ディスク１の穴１ａに係合する支持部（図示せず）を、穴１ａに係合させることにより、光ディスク１を内部で支持するようになっている。
【００４０】
この光記録媒体用ケース３は、ケース本体３１と、ブーストアンテナ２と、を備える。
【００４１】
ケース本体３１は、光ディスク１を収納するようになっている。このケース本体３１は、例えば、略直方体の形状を有する。
【００４２】
ブーストアンテナ２は、ケース本体３１に収納された光ディスク１の表面と略平行になるように、ケース本体３１に設けられている。すなわち、ブーストアンテナ２は、ケース本体３１の１つの面に設けられている。
【００４３】
なお、ブーストアンテナ２は、ケース本体３１の内面に設けられていても、また、ケース本体３１の外面に設けられていてもよい。
【００４４】
また、ブーストアンテナ２が紙（歌詞カード）等の基材に設けられ、この基材をケース本体３１に添付されることにより、ブーストアンテナ２がケース本体３１に設けられてもよい。
【００４５】
このブーストアンテナ２は、例えば、ダイポール形状を有する。
【００４６】
このブーストアンテナ２は、導体で構成される。すなわち、このブーストアンテナ２は、例えば、Ａｌ、Ａｇ等の金属箔で構成される。
【００４７】
このブーストアンテナ２は、例えば、ケース本体３１に収納された光ディスク１の中心（光ディスク１を支持する支持部（図示せず））を通る直線上で交差する、複数のバーアンテナ２ａ、２ｂを含む。バーアンテナ２ａとバーアンテナ２ｂとは、例えば、それぞれの重心で、交差している。
【００４８】
特に、図２に示す例では、２つのバーアンテナ２ａ、２ｂは、例えば、ケース本体３１に収納された光ディスク１の中心を通る直線上で、直交するように配置されている。
【００４９】
すなわち、複数のバーアンテナ２ａ、２ｂの交点は、光記録媒体用ケース３に収納される光ディスク１の略中心に設けられたＩＣタグ１００のダイポール型のアンテナ１００ａの中心を通る、光ディスク１の表面の垂線上に位置する。
【００５０】
また、ブーストアンテナ２は、光記録媒体用ケース３に収納される光ディスク１の表面と略平行になるように、ケース本体３１上に伸びて配置されている。
【００５１】
また、直交する２つのバーアンテナ２ａ、２ｂの一方（２ａ）は、ケース本体３１の１つの角に向かって延在し、直交する２つのバーアンテナの他方（２ｂ）は、ケース本体３１の他の角に向かって延在している。
【００５２】
この複数のバーアンテナ２ａ、２ｂは、帯状の導体から成る。このブーストアンテナ２は、帯状の導電材料テープから、貼付、転写、エッチング、印刷、または、接着により、光記録媒体用ケース３に、所定の長さおよび形状で形成される。
【００５３】
また、バーアンテナ２ａ、２ｂの長さは、例えば、送受信する電磁波の波長の略正の整数倍または略正の整数分の１である。例えば、ＵＨＦ帯（９００ＭＨｚ程度）での使用を想定した場合、ブーストアンテナ２を構成するバーアンテナ２ａ、２ｂの長手方向の長さは１５ｃｍ程度となる。また、このバーアンテナの幅方向の幅は、例えば、５ｍｍ程度である。このバーアンテナの厚さは、例えば、９μｍ〜５０μｍである。
【００５４】
このブーストアンテナ２とＩＣタグ１００のダイポール型のアンテナ１００ｂとの間は、例えば、電磁結合、電磁誘導、静電結合の１つ、又は組み合わせにより非接触で電気信号を伝達することがきるようになっている。
【００５５】
ここで、既述のＩＣタグ１００のＩＣチップ１００ａは、ダイポール型のアンテナ１００ｂ、ブーストアンテナ２、および、シート状アンテナ２００を介して、リーダ／ライタ（質問器（Ｉｎｔｅｒｒｏｇａｔｏｒ））へ情報を読み出し、または、該質問器からシート状アンテナ２００、ダイポール型のアンテナ１００ｂ、および、ブーストアンテナ２を介して入力された情報を記憶する。
【００５６】
また、ＩＣタグ１００は、ダイポール型のアンテナ１００ｂとブーストアンテナ２との相対的な位置関係に応じて、シート状アンテナ２００との交信距離が異なるようになっている。
【００５７】
このＩＣタグ１００は、リーダ／ライタ３２０（シート状アンテナ２００）との交信周波数が、例えば、８００ＭＨｚから１０ＧＨｚの範囲である。
【００５８】
また、ＩＣタグ１００は、ダイポール型のアンテナ１００ｂに接続されるＩＣチップ１００ａのインピーダンスと、ブーストアンテナ２のインピーダンスとを整合することにより、受信電力を向上することができる。
【００５９】
なお、図２の例では、光記録媒体用ケース３のケース本体３１に直接光ディスク１が収納される例を示しているが、ケース本体３１は、光ディスク１を収納した中箱（図示せず）を収納することにより、光ディスク１をケース本体３１内に収納するようにしてもよい。
【００６０】
次に、以上のような構成を有する光記録媒体用ケース３に収納された光ディスク１を管理するための管理システムの例について説明する。
【００６１】
ここで、図３は、図２に示す光記録媒体用ケース３を並べた状態の、シート状アンテナが配置された棚４００の構成の一例を示す図である。また、図４は、図３に示すシート状アンテナ２００、リーダ／ライタ３２０、および、管理装置３１０を含む管理システム１０００の一例を示す図である。
【００６２】
図３に示すように、棚４００は、底面４上に、複数の光記録媒体用ケース３が並んで配置されるようになっている。そして、棚４００の背面５の上部に、シート状アンテナ２００が配置されている。なお、この管理用棚４００の底面４および背面５は、導体で構成されている。
【００６３】
例えば、このシート状アンテナ２００の幅Ｗの中心の棚４００の底面４からの高さと、光記録媒体用ケース３のブーストアンテナ２の棚４００の底面４からの高さとがほぼ等しくなるように設定されている。これにより、ブーストアンテナ２とシート状アンテナ２００との通信距離が短くなる。
【００６４】
なお、後述のように、ＩＣタグ１００の偏波方向に指向性があるので、シート状アンテナ２００の表面と光記録媒体用ケース３（光ディスク１）の表面（すなわち、ブーストアンテナ２の延伸方向）とは、直交するように配置されるのが好ましい。
【００６５】
また、図４に示すように、光ディスク１を管理するための管理システム１００は、複数の光記録媒体用ケース３と、シート状アンテナ２００と、管理装置３１０、リーダ／ライタ３２０と、同軸ケーブル３３０と、配線３４０と、を備える。
【００６６】
シート状アンテナ２００は、光記録媒体用ケース３が並べられる棚４００（図３）に配置される。
【００６７】
リーダ／ライタ３２０は、ブーストアンテナ２、ダイポール型のアンテナ１００ｂ、および、シート状アンテナ２００を介して、光ディスク１のＩＣタグ１００と通信するようになっている。
【００６８】
管理装置３１０は、光ディスク１のＩＣタグ１００とリーダ／ライタ３２０との通信により得られた情報に基づいて、光ディスク１を管理するようになっている。
【００６９】
また、図４に示すように、シート状アンテナ２００は、薄い平板状の誘電体層２５０を、メッシュ状の導電体層２３０と平板状の導電体層２４０とで挟む構造を有する。また、メッシュ状の導電体層２３０のメッシュ周期と、誘電体層２５０の厚さと、は、シート状アンテナ２００を伝搬する波長よりも小さいものとする。
【００７０】
また、メッシュ状の導電体層２３０は、例えば、メッシュ周期が７ｍｍのメッシュ状の導体を含む構造を有し、一辺が６ｍｍの正方形の開口部分を有する。このような形状では、メッシュ状の導電体層２３０の表面から一定の高さまで（シート状アンテナ２００の表面から一定の高さまで）、電磁場が染み出すようになる。
【００７１】
この電磁場が染み出す領域を浸出領域という。この浸出領域の高さは、メッシュのパターン形状とシート状アンテナ２００の誘電体層２５０の厚さと誘電率によって決まる。
【００７２】
例えば、メッシュの線間隔がＩｍ、メッシュの線幅がＷｍの正方形のメッシュ構造を有するメッシュ状の導電体層２３０においては、メッシュ周期は（Ｗｍ＋Ｉｍ）となる。
【００７３】
また、シート状アンテナ２００において、メッシュ状の導電体層２３０のメッシュ周期は、伝搬する電磁波の波長より十分短いものとし、例えば、伝搬する電磁波の０．２倍以下である。
【００７４】
また、誘電体層２５０の厚さは、伝搬する電磁波の波長よりも十分短いものとし、例えば、誘電体層２５０の厚さは、波長の０．０４倍以下である。
【００７５】
このように、メッシュ状の導電体層２３０のメッシュ周期と誘電体層２５０の厚さとが、シート状アンテナ２００を伝搬する電磁波の波長よりも十分に小さい場合には、所謂、導波管と同様に、シート状アンテナ２００が遮断周波数を有する。そして、シート状アンテナ２００の横幅Ｗが電磁波の半波長の整数倍である場合に共振を起こす（例えば、特開２０１０−１１４６９６号公報参照）。
【００７６】
そして、横幅Ｗが半波長の整数倍である場合には、シート状アンテナ２００を伝搬する電磁波が共振状態となるため、シート状アンテナ２００のメッシュ状の導電体層２３０から放射される電力が増大する。
【００７７】
さらに、シート状アンテナ２００の横幅Ｗの長さと、シート状アンテナ２００を伝搬する電磁波の半波長の長さとが等しい場合には、シート状アンテナ２００の長辺Ｌ方向に、所謂、平面波として電磁波が進行しているように見える（例えば、特開２０１０−１１４６９６号公報参照）。
【００７８】
したがって、シート状アンテナ２００の電磁波吸収部材２１０は、シート状アンテナ２００の何れか一方の短辺に配置されていればよい。シート状アンテナ２００においては、電力を入力する電磁波インタフェース２２０を他方の短辺に配置しているので、給電点がある短辺と対向する短辺に電磁波吸収部材（終端部材）２１０を配置すればよい。
【００７９】
電磁波吸収部材２１０は、導体板と抵抗とを組み合わせた構成とすることができ、例えば、導体板をメッシュ状の導電体層２３０の上に載置してもよい。
【００８０】
また、図４に示すように、リーダ／ライタ３２０は、光ディスク１の管理を実行する管理装置３１０に配線３４０を介して接続される。
【００８１】
シート状アンテナ２００は、リーダ／ライタ３２０に、同軸ケーブル３３０と電磁波インタフェース２２０を介して接続される。
【００８２】
なお、リーダ／ライタ３２０は、読み取り機能または書き込み機能の少なくとも何れか一方を有する。
【００８３】
また、リーダ／ライタ３２０は、ＩＣタグ１００と通信する場合に、電磁波を同軸ケーブル３３０と電磁波インタフェース２２０とを介して、シート状アンテナ２００に通信用の電磁波を入力する。
【００８４】
そして、ＩＣタグ１００は、シート状アンテナ２００から放射され通信内容に応じた電磁波を、ブーストアンテナ２と、ダイポール型のアンテナ１００ｂとを介して受信する。一方、ＩＣタグ１００ａは、シート状アンテナ２００に対して、ブーストアンテナ２と、ダイポール型のアンテナ１００ｂとを介して、通信内容に応じた電磁波を送信する。
【００８５】
管理装置３１０は、リーダ／ライタ３２０と光ディスク１のＩＣタグ１００との通信により得られた情報に基づいて、光ディスク１を管理する。
【００８６】
なお、管理システム１０００において、同軸ケーブル３３０、配線３４０に代えて、管理装置３１０、リーダ／ライタ３２０、シート状アンテナ２００との間を、無線で情報が伝達するようにしてもよい。
【００８７】
ここで、光ディスク１に付されたＩＣタグ１００のダイポール型のアンテナ１００ｂの偏波方向には、指向性がある。したがって、ダイポール型のアンテナ１００ｂの向きとシート状アンテナ２００の表面の垂線との位置関係により、ＩＣタグ１００ａの電磁波の送受信の感度が異なる。
【００８８】
しかし、本実施例においては、光ディスク１を収納する光記録媒体用ケース３にブーストアンテナ２に設けられていることにより、ダイポール型のアンテナ１００ｂの偏波方向の指向性の影響を低減し、ＩＣタグ１００ａとシート状アンテナ２００との間の電磁波の送受信の感度を向上させることができる。
【００８９】
すなわち、シート状アンテナ２００上でのＩＣタグ１００の読取り率および読取り数が、飛躍的に向上することになる。
【００９０】
これにより、複数の光記録媒体に付されたＩＣタグ１００をより適切に読み取り、光記録媒体に対する所定の管理を実施することができる。
【００９１】
なお、既述の図３の例では、棚４００の背面５の上部にシート状アンテナ２００を設けたが、図５に示すように、棚４００の背面５の下部にシート状アンテナ２００を設けてもよい。
【００９２】
また、図２に示す光記録媒体用ケース３のブーストアンテナ２の構成は、一例であり、同様の機能を有すればブーストアンテナ２は異なる構成を有していてもよい。
【００９３】
ここで、図６ないし図１３は、図１に示す光ディスク１を収納した状態の実施例１に係る光記録媒体用ケースの構成の他の例を示す図である。
【００９４】
例えば、図６に示すように、図２に示す構成と比較して、ブーストアンテナ２は、ケース本体３１の一辺（長辺）に対して略平行に伸びた補助バーアンテナ２ｃを、さらに含むようにしてもよい。
【００９５】
また、図７に示すように、ブーストアンテナ２は、ケース本体３１の一辺（短辺）に対して略平行に伸びた補助バーアンテナ２ｄを、さらに含むようにしてもよい。
【００９６】
また、図８に示すように、図６に示す構成と比較して、ブーストアンテナ２は、ケース本体３１の他の辺（短辺）に対して略平行に伸びた補助バーアンテナ２ｅを、さらに含むようにしてもよい。
【００９７】
また、図９に示すように、図６に示す構成と比較して、ブーストアンテナ２は、ケース本体３１の他の辺（短辺）に対して略平行に伸びた補助バーアンテナ２ｄを、さらに含むようにしてもよい。
【００９８】
また、図１０に示すように、図６に示す構成と比較して、ブーストアンテナ２は、該交点を通り、ケース本体３１の他の辺（短辺）に対して略平行に伸びた補助バーアンテナ２ｆを、さらに含むようにしてもよい。
【００９９】
また、図１１に示すように、図６に示す構成と比較して、ブーストアンテナ２は、該交点を通り、ケース本体３１の該一辺（長辺）に対して略平行に伸びたバーアンテナ２ａ１を、さらに含むようにしてもよい。
【０１００】
また、図１２に示すように、ブーストアンテナ２は、バーアンテナ２ａ１、２ｂ１と、補助バーアンテナ２ｃと、を有する。
【０１０１】
ケース本体３１に収納された光ディスク１の中心を通る直線上で、直交する２つのバーアンテナ２ａ１、２ｂ１の一方は、ケース本体３１の一辺に平行に配置されている。
【０１０２】
すなわち、ブーストアンテナ２は、ケース本体３１の一辺（長辺）に対して略平行に伸びたバーアンテナ２ａ１と、このバーアンテナ２ａ１と直交するバーアンテナ２ｂ１と、ケース本体３１の一辺（長辺）に対して略平行に伸びた補助バーアンテナ２ｃを、含むようにしてもよい。
【０１０３】
また、図１３に示すように、ブーストアンテナ２は、図１２に示す構成からバーアンテナ２ａ１を省略した構成にしてもよい。
【０１０４】
以上のような構成により、ブーストアンテナ２の感度を向上し、ＩＣタグ１００の読み取り性能を向上することができる。
【０１０５】
以上に示す光記録媒体用ケースの構成は、収納された光ディスク１の平面方向の断面が長方形である場合（ＤＶＤやＢＤ等のケースを想定）について示しているが、収納された光ディスク１の平面方向の断面が正方形である場合（ＣＤのケースを想定）も本発明は同様に適用される。
【０１０６】
ここで、図１４は、図１に示す光ディスク１を収納した状態の実施例１に係る光記録媒体用ケースの構成の他の例を示す図である。
【０１０７】
図１４に示すように、光記録媒体用ケース１０３は、収納された光ディスク１の平面方向の断面が正方形である。
【０１０８】
この光記録媒体用ケース１０３は、ケース本体１３１と、ブーストアンテナ２と、を備える。ケース本体１３１は、光ディスク１を収納するようになっている。
【０１０９】
図１４に示す光記録媒体用ケース１０３のその他の構成は、図２に示す光記録媒体用ケース３の構成と同様である。
【０１１０】
ここで、図１５ないし図１７は、図２に示す光記録媒体用ケース１０３を並べた状態の、シート状アンテナが配置された棚４００の構成の例を示す図である。なお、管理システムの構成は、図４に示す構成と同様である。
【０１１１】
図１５に示すように、棚４００は、底面４上に、複数の光記録媒体用ケース１０３が並んで配置されるようになっている。そして、棚４００の背面５の上部に、シート状アンテナ２００が配置されている。
【０１１２】
また、図１６に示すように、棚４００の背面５の下部にシート状アンテナ２００を設けてもよく、図１７に示すように、棚４００の底面４にシート状アンテナ２００を設けるようにしてもよい。
【０１１３】
以上のような構成によっても、ブーストアンテナ２の感度を向上し、ＩＣタグ１００の読み取り性能を向上することができる。
【０１１４】
以上のように、本実施例に係る光記録媒体用ケースによれば、リーダ／ライタによるシート状アンテナを介した読み取り性能を、向上することができる。
【符号の説明】
【０１１５】
１  光ディスク（光記録媒体）
２  ブーストアンテナ
２ａ  バーアンテナ
２ａ１  補助バーアンテナ
２ｂ  バーアンテナ
２ｂ１  補助バーアンテナ
２ｃ  バーアンテナ
２ｄ  バーアンテナ
２ｅ  バーアンテナ
３  光記録媒体用ケース
３１  ケース本体
１００  ＩＣタグ
１００ａ  ＩＣチップ
１００ｂ  アンテナ
１００ｂ−１  ループ部
１００ｂ−２  延在部
１０３  光記録媒体用ケース
１３１  ケース本体
２００  シート状アンテナ
２１０  電磁波吸収部材（終端部材）
２２０  電磁波インタフェース
２３０  メッシュ状の導電体層
２４０  平板状の導電体層
２５０  誘電体層
３１０  管理装置
３２０  リーダ／ライタ
３３０  同軸ケーブル
３４０  配線
４００  棚
【図１】
0005720271.tif 000002
【図２】
0005720271.tif 000003
【図３】
0005720271.tif 000004
【図４】
0005720271.tif 000005
【図５】
0005720271.tif 000006
【図６】
0005720271.tif 000007
【図７】
0005720271.tif 000008
【図８】
0005720271.tif 000009
【図９】
0005720271.tif 000010
【図１０】
0005720271.tif 000011
【図１１】
0005720271.tif 000012
【図１２】
0005720271.tif 000013
【図１３】
0005720271.tif 000014
【図１４】
0005720271.tif 000015
【図１５】
0005720271.tif 000016
【図１６】
0005720271.tif 000017
【図１７】
0005720271.tif 000018